(57)【要約】【課題】磁気ディスク・ドライブ装置に実装されている磁気ディスクの外部消去磁界を使用したデータ消去において、磁気ヘッドへの漏れ磁束を低減する。【解決手段】本形態のデータ消去装置は、データ消去のための外部磁界を生成し、その外部消去磁界によって磁気ディスクの磁性層を初期化（データ消去）する。さらに、データ消去装置は、生成した外部消去磁界の生成による漏れ磁束によりＨＤＤ２のヘッド素子部が磁化されることを防止するため、ヘッド素子部に及ぶ漏れ磁束を低減する磁気シールド３２、３３を有している。ＨＤＤ２はフィクスチャ３に固定され、このフィクスチャ３に磁気シールド３２、３３が固定されている。磁気シールド３２、３３は軟磁性体により形成されており、ＨＤＤ２の外部においてヘッド・スライダの近傍に配置される。【選択図】図５
2009146490.tif 000002
【特許請求の範囲】
【請求項１】
外部消去磁界を使用して磁気ディスク・ドライブ装置内の磁気ディスク上のデータを消去する、データ消去装置であって、
外部消去磁界を生成する外部消去磁界生成器と、
前記磁気ディスクの一部が前記外部消去磁界内にあり、磁気ヘッドが前記外部消去磁界外にあるように、前記磁気ディスク・ドライブ装置を固定するフィクスチャと、
前記磁気ディスク・ドライブ装置の外部において前記外部消去磁界生成器と前記磁気ヘッドとの間において、前記外部消去磁界生成器から前記磁気ヘッドへと漏れる磁界を低減する軟磁性体からなる磁気シールドと、
を有するデータ消去装置。
【請求項２】
前記磁気ディスク・ドライブ装置が載置されている前記フィクスチャの載置面と前記磁気ディスク・ドライブ装置との間に、前記磁気シールドを有している、
請求項１に記載のデータ消去装置。
【請求項３】
前記磁気シールド少なくとも一部は、磁気ディスク回転軸方向において前記外部消去磁界生成器に重なっている
請求項２に記載のデータ消去装置。
【請求項４】
前記磁気シールド少なくとも一部は、磁気ディスク回転軸方向において前記磁気ヘッドに重なっている、
請求項２に記載のデータ消去装置。
【請求項５】
前記磁気シールドの一部は磁気ディスク回転軸方向において前記外部消去磁界生成器に重なっており、前記磁気シールドの他の一部は磁気ディスク回転軸方向において前記磁気ヘッドに重なっている、
請求項２に記載のデータ消去装置。
【請求項６】
前記磁気ヘッドに最も近い前記磁気ディスク・ドライブ装置の側面に対向する位置に、前記磁気シールドを有している、
請求項１に記載のデータ消去装置。
【請求項７】
前記磁気ディスク・ドライブ装置が載置されている前記フィクスチャの載置面と前記磁気ディスク・ドライブ装置との間に、磁気シールドをさらに有している、
請求項６に記載のデータ消去装置。
【請求項８】
前記磁気シールドは前記フィクスチャに固定されている、
請求項１に記載のデータ消去装置。
【請求項９】
前記外部消去磁界生成器は、互いに対向して配置された永久磁石を有し、
前記フィクスチャは、回転している前記磁気ディスクが前記永久磁石間にあるように前記磁気ディスク・ドライブ装置を固定し、
前記磁気ヘッドは、前記永久磁石の間の空間の外にあり、
前記磁気ディスク・ドライブ装置が載置されている前記フィクスチャの載置面と前記磁気ディスク・ドライブ装置との間に前記磁気シールドが存在する、
請求項１に記載のデータ消去装置。
【発明の詳細な説明】
【技術分野】
【０００１】
本発明は、外部消去磁界により磁気ディスク・ドライブ装置のデータを消去する装置に関し、特に、外部消去磁界生成における漏れ磁束による磁気ヘッドの磁化防止に関する。
【背景技術】
【０００２】
磁気ディスク・ドライブ装置の一つであるハードディスク・ドライブ（ＨＤＤ）は、磁気ディスク、磁気ディスクを回転するためのスピンドル・モータ、磁気ディスクにアクセス（リードあるいはライト）するヘッド・スライダ、そして、ヘッド・スライダを支持しそれを磁気ディスク上で移動するアクチュエータ等の各部品を有している。これら構成部品は、ベースとカバーからなるエンクロージャに収容されている
【０００３】
ＨＤＤの製造は、構成部品をベース内に組み付けた後に、カバーでベースの開口部を覆い、ヘッド・ディスク・アセンブリ（ＨＤＡ）を製造する。その後、ＨＤＡの磁気ディスクにサーボ・パターンを書き込む。サーボ・パターンの書き込みが終了すると、ＨＤＡに制御回路基板が実装される。ＨＤＡと制御回路基板からなる装置が、ＨＤＤである。ＨＤＤは製品出荷のための種々のテストに供される。サーボ・パターンを書き込む方法として、外部ピンを使用してアクチュエータを操作して磁気ヘッドを使用してサーボ・パターンを書き込む方法の他、ＨＤＤの磁気ヘッドにより書き込んだサーボ・パターンを使用したサーボ制御によりアクチュエータを制御し、磁気ヘッドによりサーボ・パターンを書き込む方法がある。後者の方法は、セルフ・サーボ・ライト（ＳＳＷ）と呼ばれる。
【０００４】
ＳＳＷは、磁気ヘッドが自ら磁気ディスクに書き込んだパターンを読み出し、アクチュエータをサーボ制御する。従って、ＳＳＷの前に、磁気ディスク上のデータが完全に消去されていることが必要である。一般に、磁気ディスクの製造において、磁気ディスク上のデータ消去処理が行われる。しかし、磁気ディスクの製造工程におけるデータ消去は完全でないことがあり、ＳＳＷを正常に行えない危険がある。そこで、ＨＤＡを製造した後に、磁気ディスク上のデータ消去を行うことが必要となる。また、サーボ・パターンの書き込みにおいてエラーが発生した場合、ＨＤＡ内の磁気ディスク上のサーボ・パターンの消去が必要である。
【０００５】
あるいは、ＨＤＤのテスト工程において不良品と認定された場合、不良に関係ない部品についてはＨＤＤを解体した後に回収して、再利用される。磁気ディスクを再利用する場合には、新たな製品として書き込まれるサーボ・パターンとの干渉を防止するために、既に書き込まれたサーボ・パターンを消去する必要がある。さらに、製品出荷のためのテストにおいてもテスト・データが書き込まれており、不良品となったディスク装置については、そのテスト・データの消去も必要となる。
【０００６】
このように、ＨＤＤの製造においては、多くの場面において磁気ディスク上のデータを消去することが必要となる。磁気ディスク上のデータ消去に関して、ＨＤＡに実装されている磁気ディスクのデータを消去する装置が、例えば、特許文献１に開示されている。このデータ消去装置は、互いに吸着し合う極性となるように隣接配置されている２つの上部永久磁石と、互いに吸着し合う極性となるように隣接配置されている２つの下部永久磁石を備える。また、鉛直方向に対向する永久磁石の各対向面は、互いに同一の極性を示している。
【０００７】
永久磁石間の中央部において、水平方向が主となる磁界が生じる。現行の磁気ディスクは水平磁気記録方式を採用しており、磁気ディスクと平行な方向の磁界を作用させることによって、磁気ディスクに記憶されているデータが消去される。磁界の強度は、磁気ディスクの保磁力よりも大きいことが必要である。磁界内において磁気ディスクを回転することによって、磁気ディスクの全面に平行な磁界が作用することによりデータの消去が行われる。永久磁石による外部磁界によって、磁気ディスクのデータ消去を迅速に行うことができる。
【特許文献１】特開２００１−３１２８０２号公報
【発明の開示】
【発明が解決しようとする課題】
【０００８】
磁気ディスクに記録されたデータを消去するためには、磁気ディスクの保磁力以上の磁界を磁気ディスクに作用させる必要がある。近時、磁気ディスクの記録密度の向上は著しく、それに伴って磁気ディスクの保磁力も増大している。従って、磁気ディスクに記録されたデータを消去するためにはそれに応じた強度の磁界が必要となる。一方、磁気ディスクの記録密度の増加に伴い、ヘッド・スライダ内のヘッド素子部の感度が大きく向上している。このため、ヘッド素子部は外部磁界に対してよりセンシティブになっており、わずかな外部磁界によってヘッド磁化が起きうる。磁化されたヘッド素子部は、リード／ライトのエラーを引き起こす。
【０００９】
外部消去磁界による磁気ディスクのデータ消去においても、高感度の磁気ヘッドに対応することが必要となってきている。磁気ディスクのデータを消去するために外部消去磁界を生成する場合、磁気ヘッドに漏れ磁束が及ぶ。そのため、この漏れ磁束によるヘッド磁化を防ぐことが必要となる。
【００１０】
データ消去の外部消去磁界を弱くすれば、漏れ磁束も小さくすることができる。しかし、それでは磁気ディスク上のデータを十分に消去することができず、データやサーボ・パターンの消し残しによる新たな問題が発生する。あるいは、外部消去磁界内への磁気ディスクの（ＨＤＤの）挿入ストロークを減らすことによって、ヘッド素子部への漏れ磁束の影響を低減することができる。しかし、磁気ディスク内周側において十分なデータ消去を行えない問題が生ずる。従って、磁気ディスクのデータ消去能力を低下させることなく、ヘッド素子部への漏れ磁束を低減することが必要である。
【課題を解決するための手段】
【００１１】
本発明の一態様は、外部消去磁界を使用して磁気ディスク・ドライブ装置内の磁気ディスク上のデータを消去するデータ消去装置である。このデータ消去装置は、外部消去磁界を生成する外部消去磁界生成器と、前記磁気ディスクの一部が前記外部消去磁界内にあり、磁気ヘッドが前記外部消去磁界外にあるように、前記磁気ディスク・ドライブ装置を固定するフィクスチャと、前記磁気ディスク・ドライブ装置の外部において前記外部消去磁界生成器と前記磁気ヘッドとの間において、前記外部消去磁界生成器から前記磁気ヘッドへと漏れる磁界を低減する軟磁性体からなる磁気シールドとを有する。磁気シールドにより磁気ヘッドへの漏れ磁界を低減し、磁気ヘッドの磁化を防ぐ。
【００１２】
前記磁気ディスク・ドライブ装置が載置されている前記フィクスチャの載置面と前記磁気ディスク・ドライブ装置との間に、前記磁気シールドを有していることが好ましい。これにより作業を妨げることなく、高いシールド効果を有する磁気シールドを設置することができる。さらに、前記磁気シールド少なくとも一部は、磁気ディスク回転軸方向において前記外部消去磁界生成器に重なっていることが好ましい。あるいは、前記磁気シールド少なくとも一部は、磁気ディスク回転軸方向において前記磁気ヘッドに重なっていることが好ましい。これらにより、シールド効果を上げることができる。あるいは、前記磁気シールドの一部は磁気ディスク回転軸方向において前記外部消去磁界生成器に重なっており、前記磁気シールドの他の一部は磁気ディスク回転軸方向において前記磁気ヘッドに重なっていることが好ましい。これらにより、さらにシールド効果を上げることができる。
【００１３】
前記磁気ヘッドに最も近い前記磁気ディスク・ドライブ装置の側面に対向する位置に、前記磁気シールドを有していることが好ましい。これにより、高いシールド効果を得ることができる。さらに好ましくは、前記磁気ディスク・ドライブ装置が載置されている前記フィクスチャの載置面と前記磁気ディスク・ドライブ装置との間に、磁気シールドをさらに有している。これによりさらにシールド効果を上げることができる。
【００１４】
前記磁気シールドは前記フィクスチャに固定されていることが好ましい。これにより磁気シールドを容易に設置することができる。好ましい例において、前記外部消去磁界生成器は、互いに対向して配置された永久磁石を有し、前記フィクスチャは、回転している前記磁気ディスクが前記永久磁石間にあるように前記磁気ディスク・ドライブ装置を固定し前記磁気ヘッドは前記永久磁石の間の空間の外にあり、前記磁気ディスク・ドライブ装置が載置されている前記フィクスチャの載置面と前記磁気ディスク・ドライブ装置との間に前記磁気シールドが存在する。これにより永久磁石からの磁界による磁気ヘッドの磁化を効果的に防ぐことができる。
【発明の効果】
【００１５】
本発明によれば、磁気ディスク・ドライブ装置に実装されている磁気ディスクの外部消去磁界を使用したデータ消去において、磁気ヘッドへの漏れ磁束を低減することができる。
【発明を実施するための最良の形態】
【００１６】
以下に、本発明の好ましい実施の形態を説明する。説明の明確化のため、以下の記載及び図面は、適宜、省略及び簡略化がなされている。又、各図面において、同一要素には同一の符号が付されており、説明の明確化のため、必要に応じて重複説明は省略されている。本実施形態においては、磁気ディスク・ドライブ装置として、ハードディスク・ドライブ（ＨＤＤ）を例として説明する。
【００１７】
本形態は、ＨＤＤの磁気ディスクのデータ消去に特徴を有している。本形態のデータ消去装置は、データ消去のための外部磁界を生成し、その外部消去磁界によって磁気ディスクの磁性層を初期化（データ消去）する。さらに、本形態のデータ消去装置は、生成した外部消去磁界の生成による漏れ磁束によりＨＤＤのヘッド素子部が磁化されることを防止するため、ヘッド素子部に及ぶ漏れ磁束を低減する磁気シールドを有している。この磁気シールドは軟磁性体により形成されており、ＨＤＤの外部においてヘッド・スライダの近傍に配置される。
【００１８】
本形態のデータ消去装置は、磁気データの消去外部磁界を生成する外部消去磁界生成器の好ましい例として、永久磁石（硬磁性体）を使用する。図１は、外部消去磁界生成器１と、外部消去磁界生成器１が生成する外部消去磁界内に配置されているＨＤＤ２とを模式的に示している。ＨＤＤ２は、フィクスチャ３上に固定されている。磁気ヘッドを漏れ磁束から守る磁気シールドはフィクスチャ３上に固定される。この点については後述する。
【００１９】
本例において、外部消去磁界生成器１は、上側磁界生成部１１、下側磁界生成部１２、上側磁界生成部１１と下側磁界生成部１２とを間隔を開けて一端で固定する連結部１３を有している。上側磁界生成部１１と下側磁界生成部１２とで挟まれる空間が磁界生成空間１４である。上側磁界生成部１１と下側磁界生成部１２の寸法は同一であり、各側面は一致している。また、磁界生成空間１４を形成する上側磁界生成部１１と下側磁界生成部１２の面は、平行である。
【００２０】
図２は、外部消去磁界生成器１の構造を模式的に示す斜視図である。上側磁界生成部１１及び下側磁界生成部１２のそれぞれは、その内部に永久磁石１１１、１２１を有する直方体もしくは立方体である。上側磁界生成部１１及び下側磁界生成部１２の外部の筐体の一部は軟磁性対で構成されており、ヨークとして機能する。連結部１３は板状もしくは直方体形状の部材である。上側磁界生成部１１と下側磁界生成部１２とはそれぞれの一面が平行に対向するように配置されている。
【００２１】
上側磁界生成部１１、下側磁界生成部１２及び連結部１３によって囲まれる空間が磁界生成空間１４となる。磁界生成空間１４内で形成される磁界によって、ＨＤＤ２の磁気ディスクに記憶されているデータを消去する。永久磁石１１１、１２１は、それぞれ２つ１組の永久磁石で構成されている。上側磁界生成部１１内部には永久磁石１１２ａ、１１２ｂが、下側磁界生成部１２内部には永久磁石１２２ａ、１２２ｂがそれぞれ配置されている。
【００２２】
永久磁石１１２ａと永久磁石１１２ｂとは、上側磁界生成部１１内部において、外部消去磁界生成器１のコの字型側面の一方側から他方側へ向かう方向に連結されて配置されている。即ち、連結部１３の面と平行であって、上側磁界生成部１１と磁界生成空間１４とが対向する面に平行な方向に連結されている。同様に、永久磁石１２２ａと永久磁石１２２ｂとは、下側磁界生成部１２内部において、外部消去磁界生成器１のコの字型側面の一方側から他方側へ向かう方向に連結されて配置されている。従って、永久磁石１１２ａと永久磁石１２２ａとは磁界生成空間１４を挟んで対向する。また、永久磁石１１２ｂと永久磁石１２２ｂとは磁界生成空間１４を挟んで対向する。
【００２３】
１組の永久磁石１１２ａ、１１２ｂ及び１組の永久磁石１２２ａ、１２２ｂは、それぞれ、互いに吸着し合うように隣接配置されている。具体的には、永久磁石１１２ａのＮ極と永久磁石１１２ｂのＳ極とが同一方向を向くように配置されている。同様に、永久磁石１２２ａのＮ極と永久磁石１２２ｂのＳ極とが同一方向を向くように配置されている。これにより、永久磁石１１２ａ、１１２ｂの近傍においては、永久磁石１１２ａのＮ極から永久磁石１１２ｂのＳ極へ向かう磁界が形成される。
【００２４】
更に、上側磁界生成部１１に含まれる永久磁石１１１と下側磁界生成部１２に含まれる永久磁石１２１とは、同一の極性が対向するように配置される。即ち、永久磁石１１２ａと永久磁石１２２ａとは磁界生成空間１４を挟んで同極（Ｎ極）が対向し、永久磁石１１２ｂと永久磁石１２２ｂとは磁界生成空間１４を挟んで同極（Ｓ極）が対向する。永久磁石１１１、１１２を上記のように配置することにより、磁界生成空間１４には図２に示す矢印の向きに磁場が形成される。即ち、永久磁石１１２ａのＮ極から出て永久磁石１１２ｂのＳ極へ入る磁界と、永久磁石１２２ａのＮ極から出て永久磁石１２２ｂのＳ極へ入る磁界とが磁界生成空間１４に形成される。
【００２５】
磁界生成空間１４内において、磁気ディスクのデータを十分に消去することができる強度の磁界が生成されるエリアは限定されている。具体的には、磁気ディスクのデータを消去する外部消去磁界が生成される消去可能領域Ｂは、永久磁石１１１及び１１２の中央を含むその近傍である。磁界生成空間１４において、消去可能領域Ｂの磁界の強度は、データ消去対象である磁気ディスクの保持力以上である。当該消去可能領域Ｂにおいては、記録面に平行な方向の外部消去磁界形成されている。
【００２６】
図３を参照して、ＨＤＤ２の全体構造について説明する。ＨＤＤ２は、磁性層が磁化されることによってデータを記憶する磁気ディスク２１を有している。矩形状のベース２２は典型的にはアルミニウムで形成されており、ＨＤＤ１の各構成要素を収容する。ベース２２は、その上部開口を塞ぐカバー（不図示）とガスケット（不図示）を介して固定されることによって筐体を構成する。筐体の材料は、常磁性の金属であり、筐体全体として略直方体である。磁気ヘッドであるヘッド・スライダ２５は、ホスト（不図示）との間で入出力されるデータについて、磁気ディスク２１への書き込み及び／又は読み出しを行うヘッド素子部と、そのヘッド素子部がその面上に形成されているスライダとを備えている。ヘッド素子部は、電気信号を磁界に変換する記録素子及び／又は磁気ディスク２１からの磁界を電気信号に変換する再生素子を有する。
【００２７】
アクチュエータ２６は、ヘッド・スライダ２５を支持するサスペンション２６１と、サスペンション２６１が固定されたアーム２６２を有している。アクチュエータ２６は軸２７を中心に揺動し、ボイス・コイル・モータ２８によって駆動される。ベース２２に固定されたスピンドル・モータ２３（ＳＰＭ）は、所定の速度で磁気ディスク２１を回転する。磁気ディスク２１からのデータの読み取り／書き込みのため、アクチュエータ２６は回転している磁気ディスク２１のデータ領域上空にヘッド・スライダ２５を移動する。スライダのＡＢＳ（Air Bearing Surface）面と回転している磁気ディスク２１との間の空気の粘性による圧力が、サスペンション２６１によって磁気ディスク２１方向に加えられる圧力とバランスすることによって、ヘッド・スライダ２５は磁気ディスク２１上を一定のギャップを置いて浮上する。
【００２８】
ＨＤＤ２は、磁気ディスク２１の外周端近傍に、ランプ２９を有している。ＨＤＤ２の電源ＯＦＦ時やアイドル状態において、アクチュエータ２６は、ランプ２９上において待機する。アクチュエータ２６の先端のタブ２６３がランプ２９の面上を摺動し、アクチュエータ２６は停止位置において停止する。アクチュエータ２６が停止位置にあるとき、ヘッド・スライダ２５は、磁気ディスク２１上から外れた位置にある。ＨＤＤ２の動作制御は、ベース２２の外側に固定される基板上に実装される制御回路（不図示）が行う。
【００２９】
典型的なＨＤＤ２の製造は、まず、ヘッド・スライダ２５を製造する。また、ヘッド・スライダ２５とは別に、サスペンション２６１を製造する。ヘッド・スライダ２５をサスペンション２６１に固着してヘッド・ジンバル・アセンブリ（ＨＧＡ）を製造する。その後、ＨＧＡにアーム２６２及びＶＣＭコイルを固定して、アクチュエータ２６とヘッド・スライダ２５とのアセンブリであるヘッド・スタック・アセンブリ（ＨＳＡ）を製造する。製造されたＨＳＡの他、ＳＰＭ２３、磁気ディスク２１などをベース２２内に実装して、トップ・カバーでベース２２内空間を閉じることによってヘッド・ディスク・アセンブリ（ＨＤＡ）が完成する。このＨＤＡに制御回路が実装された回路基板（不図示）を実装することによって、ＨＤＤ２が完成する。
【００３０】
データ消去の典型的な例として、ＨＤＡの製造後、磁気ディスク２１へのサーボ・ライトを行う前に、外部消去磁界生成器１による磁気ディスク２１のデータ消去を行う。図４に示すように、ＨＤＤ２内の磁気ディスク２１のデータ消去は、ＨＤＤ２（磁気ディスク２１）の一部を磁界生成空間１４内に挿入し、磁気ディスク２１を回転させる。データ消去のとき、アクチュエータ２６はランプ２９上の停止位置にある。これによりヘッド・スライダ２５を磁界生成空間１４の外側（外部消去磁界生成器１の端面Ｓよりも外側）に配置し、外部消去磁界生成器１の生成磁界によるヘッド・スライダ２５への影響を少なくする。
【００３１】
図４は、カバーを外したＨＤＤ２を示しているが、実際のデータ消去においてカバーは固定されている。図４の例において、磁気ディスク２１の記録面が、上側磁界生成部１１と下側磁界生成部１２との対外の対抗面に平行となるように、ＨＤＤ２は挿入されて固定されている。ＨＤＤ２の挿入ストロークは、例えば、上側磁界生成部１１（下側磁界生成部１２）の外側端面Ｓから、挿入されているＨＤＤ２の先端面までの距離で定義することができる。なお、磁気ディスク２１の記録面を、これら対抗面に対して斜めとなるように、ＨＤＤ２を配置する方法もある。磁気ディスク２１の一部が消去可能領域Ｂ内にあり、回転することで磁気ディスク記録面の全面が消去可能領域Ｂを通過しし、データ消去される。なお、ＨＤＤ１の挿入ストロークを小さくして、記録面の外周側の一部のみをデータ消去し、内周側をヘッド・スライダ２５によりデータ消去してもよい。
【００３２】
図５は、本形態のフィクスチャ３とその上に固定されるＨＤＤ２を示す斜視図である。図５はカバーを外したＨＤＤ２を示しているが、実際のデータ消去においてカバーは固定されている。ＨＤＤ２は、フィクスチャ３のＨＤＤ載置板３１の上に配置され、固定される。ＨＤＤ載置板３１は支持部材３５上に固定され、支持部材３５により支持されている。図５の例において、ＨＤＤ２のベース２２がＨＤＤ載置板３１と向き合うように、ＨＤＤ２がＨＤＤ載置板３１に固定される。
【００３３】
上述のように、ＨＤＤ２のデータ消去において、ＨＤＤ２は磁気ディスク２１を回転する。このため、データ消去装置は、ＨＤＤ２にＳＰＭ２３を回転するための電力を供給することが必要になる。ＨＤＤ載置板３１上には電力伝送配線（不図示）が敷設されており、ベース２２外側の側面に配置されているＳＰＭ２３の端子に接続される。これにより、データ消去中に、ＳＰＭ２３を回転させるための電力を供給することができる。ＳＰＭ２３の電力供給のための他の構成が存在する場合、ＨＤＤ２のカバー（不図示）が下となるように（ＨＤＤ載置板３１と接触するように）、ＨＤＤ２をＨＤＤ載置板３１に配置してもよい。
【００３４】
ＨＤＤ２は、ボイス・コイル・モータ２８、スピンドル・モータ２３のなどの強磁性体あるいは磁石を含む。従って、磁界生成空間１４内で、磁界により引力又は斥力を受ける。フィクスチャ３は、ＨＤＤ２に加わるこれらの力により、ＨＤＤ２がフィクスチャ３から外れない程度の強度でＨＤＤ２を保持する。フィクスチャ３は、ＨＤＤ２と共に、磁界生成空間１４及び消去可能領域Ｂ内に挿入される。また、他の一部は、磁界生成空間１４外にあって、外部消去磁界生成器１の近傍に配置される。従って、外部消去磁界への影響を考慮し、ＨＤＤ載置板３１や支持部材３５などのフィクスチャ３本体を構成する部品は、非強磁性金属あるいは非金属で形成されている。典型的には、フィクスチャ３本体はエポキシ系の樹脂で形成される。
【００３５】
本形態の特徴的な点として、フィクスチャ３はヘッド・スライダ２５を外部消去磁界生成器１の漏れ磁束から守る磁気シールドを有している。図５に示したフィクスチャ３の好適な例は、ヘッド・スライダ２５の近傍に、二つの磁気シールド３２、３３を有している。ヘッド・スライダ２５内のヘッド素子部は、外部消去磁界生成器１からの漏れ磁束により磁化されやすく、磁化されるとリード／ライトにおいてエラーを誘発する。従って、ヘッド・スライダ２５の近傍に磁気シールドを配置することで、磁気ディスク２１のデータ消去において、漏れ磁束によりヘッド素子部が磁化されることを防ぐ。磁気シールド３２、３３は、高透磁率の軟磁性体で形成された板状の部材であり、典型的には、鉄、ニッケルあるいはそれらの合金の板である。図５の例において、磁気シールド３２、３３は円形であるが、磁気シールド３２、３３の形状としては、設計により適切な形状を選択することができる。
【００３６】
二つの磁気シールドの一方のボトム・シールド３２は、ＨＤＤ載置板３１に固定されており、ＨＤＤ２の外側において、ＨＤＤ２の底面と対向する。ボトム・シールド３２は、ＨＤＤの載置面と、ＨＤＤ２の外側底面との間に位置する。好ましくは、ボトム・シールド３２は、ＨＤＤ２の外側底面と接触している。もう一方のサイド・シールド３３は、ＨＤＤ２の外側において、ＨＤＤ２の側面に対向する。ＨＤＤ２は４つの側面を有しているが、サイド・シールド３３は、ランプ２９に最も近い側面に対向している。好ましくは、サイド・シールド３３は、ＨＤＤ２の外側の側面と接触している。サイド・シールド３３は、樹脂のフレーム３４内に固定されており、フレーム３４が支持部材３５に固定されている。
【００３７】
シールド効果を高めるため、磁気シールド３２、３３の面積及び厚みは大きいことが好ましい。一方、ＨＤＤ２のＨＤＤ載置板３１上での配置を妨げないようにすることが重要である。典型的には、ベース２２の外側底面は凹凸を有している。従って、磁気シールド３２の厚みは、ベース２２の外側底面の凹部内に収まる厚みであることが好ましい。
【００３８】
以下において、ボトム・シールド３２とサイド・シールド３３の好ましい配置位置について説明する。図６（ａ）は、ボトム・シールド３２の３つの異なる位置Ｉ、ＩＩ及びＩＩと、サイド・シールド３３の位置ＩＶとを模式的に示している。図６（ｂ）は、外部消去磁界生成器１からヘッド・スライダ２５へと向かう漏れ磁束の方向を示している。Ａ方向は、磁気ディスク２１の記録面に平行であって、ヘッド・スライダ２５の前後方向（リーディング側とトレーリング側を結ぶ方向）に垂直な方向である。この方向は、停止位置にあるアクチュエータ２６の長手方向に垂直である。
【００３９】
Ｂ方向は磁気ディスク２１の記録面に平行であって、Ａ方向に垂直な方向である。つまり、ヘッド・スライダ２５の前後方向（リーディング側とトレーリング側を結ぶ方向）に平行な方向であって、アクチュエータ２６の長手方向である。Ｃ方向は磁気ディスク２１の記録面に垂直な方向であり、磁気ディスク２１の回転軸と平行な方向である。なお、各方向における磁束の強度が重要である。
【００４０】
発明者らは、サイド・シールド３３の有無及びボトム・シールド３２の配置位置を変化させて、Ｂ方向における漏れ磁束の測定を行った。測定は、２．５インチ型ＨＤＤについて行った。図７（ａ）は、その測定結果を示すグラフである。漏れ磁束の測定は、ＨＤＤ２の磁界生成空間１４への異なる複数の挿入ストロークにおいて、Ｂ方向における漏れ磁束を測定した。挿入ストロークは図３において示した定義と同様であり、上側磁界生成部１１（下側磁界生成部１２）の外側端面Ｓから、ＨＤＤ２の挿入方向先端面（ベース２２のアクチュエータ２６の反対側の端面）までの距離である。
【００４１】
図７（ａ）のグラフにおいて、Ｘ軸は挿入ストロークをｍｍ単位で表し、Ｙ軸は漏れ磁束をガウス単位で表している。図７（ａ）のグラフに示すように、磁気シールドを全く使用しない場合（ＮＯＮＥ）、挿入ストロークに係らず、大きな漏れ磁束が存在する。位置ＩＩＩのみにボトム・シールド３２を配置した場合、挿入ストロークの値に関わらず、漏れ磁束を低減する効果を得ることはできず、位置ＩＩのみにボトム・シールド３２を配置した場合、磁気シールドの効果を確認することができたが、十分な効果を得ることができなかった。
【００４２】
一方、位置Ｉに配置されたボトム・シールド３２は、磁気シールドとして大きな効果を奏し、ヘッド・スライダ２５への漏れ磁束を半減させている。さらに、位置Ｉと位置ＩＩの双方にボトム・シールド３２を配置すると、位置Ｉのみにボトム・シールド３２を配置した場合よりも、さらに磁気シールド効果の改善が見られた。また、位置Ｉ及び位置ＩＩにおける二つのボトム・シールド３２に加え、さらに位置ＩＶにおけるサイド・シールド３３を追加すると、さらに大きな磁気シールド効果を得ることができた。
【００４３】
上記測定結果からわかるように、ボトム・シールド３２は、外部消去磁界生成器１に近い位置に配置することが好ましい。また、位置ＩＩにおけるボトム・シールド３２は、それ単体では必ずしも十分なシールド効果を発揮していないが、位置Ｉにおけるボトム・シールド３２と併用することで、単体の場合よりも大きなシールド効果を発揮している。また、ボトム・シールド３２に加えて、サイド・シールド３３を配置することで、漏れ磁束のシールド効果はさらに大きくなる。
【００４４】
位置Ｉにおいて、ボトム・シールド３２は、ヘッド・スライダ２５と外部消去磁界生成器１（上側磁界生成部１１）の端面Ｓとの間の中間位置よりも、外部消去磁界生成器１側に位置する。つまり、位置Ｉにおけるボトム・シールド３２のヘッド・スライダ２５側端面は、ヘッド・スライダ２５と端面Ｓとの間の中間位置よりも外部消去磁界生成器１側である。従って、ボトム・シールド３２の配置位置は、ボトム・シールド３２の少なくとも一部が、ヘッド・スライダ２５と端面Ｓとの間の中間位置よりも外部消去磁界生成器１側に存在することが好ましい。
【００４５】
また、図６（ａ）の位置Ｉで示すように、ボトム・シールド３２の一部は、端面Ｓよりも外部消去磁界生成器１の内側に存在することが好ましい。位置Ｉにおいて、ボトム・シールド３２の一部は、磁気ディスク２１の回転軸方向において、外部消去磁界生成器１（上側磁界生成部１１及び下側磁界生成部１２）と重なっており、磁界生成空間１４内（上側磁界生成部１１及び下側磁界生成部１２に挟まれている空間内）にある。これにより、ヘッド・スライダ２５のためのボトム・シールド３２による磁気シールド効果をより高めることができる。
【００４６】
また、位置Ｉと位置ＩＩのボトム・シールド３２の併用が相乗効果を示していたことから、磁気ディスク２１の回転軸方向において、ヘッド・スライダ２５と重なる位置にも、ボトム・シールド３２が存在することが好ましい。また、ボトム・シールド３２とサイド・シールド３３の併用は、大きなシールド効果を発揮することから、これら二つの磁気シールドを併用することが好ましい。
【００４７】
サイド・シールド３３は、アクチュエータ２６の長手方向において、スタックされている全てのヘッド・スライダ２５と重なるように配置することが好ましい。特に、さらに、ボトム・シールド３２の測定結果から理解されるように、サイド・シールドの少なくとも一部は、ヘッド・スライダ２５よりも外部消去磁界生成器１側に存在することが好ましい。特に、サイド・シールド３３の一部は、ヘッド・スライダ２５と端面Ｓとの間の中間位置よりも外部消去磁界生成器１側に存在することが好ましく、さらに、サイド・シールド３３の一部は、磁界生成空間１４内にあることが好ましい。
【００４８】
図８は、上記全ての好ましい条件を満足する磁気シールドを示している。フィクスチャ３は、ボトム・シールド３２とサイド・シールド３３とを有している。ボトム・シールド３２は、磁気ディスク２１回転軸方向において、外部消去磁界生成器１と重なり、また、ヘッド・スライダ２５とも重なっている。同様に、サイド・シールド３３は、磁気ディスク２１回転軸方向において、外部消去磁界生成器１と重なり、また、ヘッド・スライダ２５とも重なっている。
【００４９】
図８におけるボトム・シールド３２及びサイド・シールド３３は、それぞれ１枚の板である。磁気シールドの面積を大きくするためには、このように１枚の連続する磁気シールドを配置することが好ましいが、複数のボトム・シールド３２あるいは複数のサイド・シールド３３を配置してもよい。また、ボトム・シールド３２とサイド・シールド３３の寸法は同一である必要はなく、ＨＤＤ２の挿入方向における長さは異なっていてよい。
【００５０】
ボトム・シールド３２及びサイド・シールド３３の挿入ストロークは、磁気ディスク２１のデータ消去に実質的な影響を及ぼさない範囲に限定することが重要である。ボトム・シールド３２あるいはサイド・シールド３３の挿入ストロークが大きいと、外部消去磁界の大きさや形成範囲に影響を及ぼすため、挿入ストロークは小さい値に設定される。好ましい例において、各磁気シールドの先端が、ＳＰＭ２３の回転軸よりも手前（外側）にあるように配置する。
【００５１】
図７（ｂ）のグラフは、磁気シールドと漏れ磁束との関係についての他の測定結果を示している。この測定は、位置ＩＩにおけるボトム・シールド３２と位置ＩＶにおけるサイド・シールド３３のシールド効果を測定した。Ａ方向、Ｂ方向及びＣ方向の３方向のそれぞれの漏れ磁束に対して、ボトム・シールド３２とサイド・シールド３３のシールド効果を測定した。
【００５２】
図７（ｂ）に示すように、磁気シールドが存在しない場合（ＮＯ  ＳＬＤ）、Ｂ方向における漏れ磁束が最も大きく、Ａ方向及びＣ方向における漏れ磁束は共に小さい値であった。ボトム・シールド３２のみを配置すると（ＢＯＴＴＯＭ）、全ての方向における漏れ磁束に対して、シールド効果が発揮された。特にＡ方向とＢ方向におけるシールド効果が高かった。ボトム・シールド３２に加えてサイド・シールド３３を配置すると（ＢＯＴＴＯＭ＋ＳＩＤＥ）、さらに磁気シールド効果が高まった。特に、Ｂ方向における漏れ磁束に対して、シールド効果の大きな改善が見られた。
【００５３】
この測定結果から、ボトム・シールド３２の磁気シールド効果が大きいことがわかる。フィクスチャ３は、ボトム・シールド３２とサイド・シールド３３の双方を有することが好ましいが、それらの内の一方のみでも、漏れ磁束のシールド効果を発揮することができる。何れか一方の磁気シールドを使用する場合、ボトム・シールド３２を選択することが好ましい。これにより、よりシンプルな構造で大きな磁気シールド効果を発揮させることができる。
【００５４】
ボトム・シールド３２は、磁気シールドの配置容易性の点からも好ましい。構造上可能であれば、磁気シールドを、ＨＤＤ載置面３１と反対側のＨＤＤ２のトップ・カバー側に配置してもよい。しかし、作業効率の点からは、フィクスチャ３へのＨＤＤ２の設置を妨げない位置に磁気シールドが存在することが好ましい。また、フィクスチャ３に対して、できるだけシンプルな方法で磁気シールドを配置、固定することができることが好ましい。これらの観点から、ＨＤＤ載置面３１上にあって、ＨＤＤ２がその上に配置されるボトム・シールド３２が好ましい。
【００５５】
以上、本発明を好ましい実施形態を例として説明したが、本発明が上記の実施形態に限定されるものではない。当業者であれば、上記の実施形態の各要素を、本発明の範囲において容易に変更、追加、変換することが可能である。本発明は、上述は、水平磁気記録と垂直磁気記録の双方の磁気ディスクのデータ消去に適用することができる。磁気シールドをフィクスチャに固定することが好ましいが、構造上可能であれば他の場所に配置してもよい。外部消去磁界の生成は、永久磁石を使用することが好ましいが、電磁的に生成してもよい。本発明は、ヘッド・スライダが磁気ディスク上の待機位置で停止するタイプのＨＤＤに適用することができる。ボトム・シールドは、このようなＨＤＤに好適である。
【図面の簡単な説明】
【００５６】
【図１】本実施形態において、外部消去磁界生成器と、外部消去磁界生成器が生成する外部消去磁界内に配置されているＨＤＤとを模式的に示す図である。
【図２】本実施形態において、外部消去磁界生成器の構造を模式的に示す斜視図である。
【図３】本実施形態において、ＨＤＤの全体構造を模式的に示す平面図である。
【図４】本実施形態において、外部消去磁界生成器と、外部消去磁界生成器が生成する外部消去磁界内に配置されているＨＤＤとを模式的に示す図である。
【図５】本実施形態において、フィクスチャとその上に固定されるＨＤＤを模式的に示す斜視図である。
【図６】本実施形態において、ボトム・シールドの３つの異なる位置とサイド・シールドの位置とを模式的に示している図と、外部消去磁界生成器からヘッド・スライダへと向かう漏れ磁束の方向を模式的に示している図である。
【図７】本実施形態において、磁気シールドと漏れ磁束との関係の測定結果である。
【図８】本実施形態において、好ましいし磁気シールドの配置を模式的に示す図である。
【符号の説明】
【００５７】
１  外部消去磁界生成器、２  ハードディスク・ドライブ、３  フィクスチャ
１１  上側磁界生成部、１２  下側磁界生成部、１３  連結部、１４  磁界生成空間
２１  磁気ディスク、２２  ベース、２３  スピンドル・モータ
２５  ヘッド・スライダ、２６  アクチュエータ、２７  揺動軸
２８  ボイス・コイル・モータ、２９  ランプ、３１  ＨＤＤ載置板
３２  ボトム・シールド、３３  サイド・シールド、３４  フレーム、３５  支持部材
１１１、１１２ａ、１１２ｂ  永久磁石、１２１、１２２ａ、１２２ｂ  永久磁石
２６３  タブ、２６１  サスペンション、２６２  アーム、Ｂ  消去可能領域、Ｓ  端面
【図１】
2009146490.tif 000003
【図２】
2009146490.tif 000004
【図３】
2009146490.tif 000005
【図４】
2009146490.tif 000006
【図５】
2009146490.tif 000007
【図６】
2009146490.tif 000008
【図７】
2009146490.tif 000009
【図８】
2009146490.tif 000010